(57)【特許請求の範囲】
【請求項１】
バネリングをリング方向に環状に重畳し、略偏平環状を呈する貫通孔を備えたスプリング環体を形成し、このスプリング環体の内側の重畳ピッチに対して、その外側の重畳ピッチを大きく形成するとともに、前記バネリングの内側の位置に対して、同バネリングの外側の位置が前記環状の一方向において偏倚し、この偏倚を利用して当該スプリング環体を縮径に形成されるとともに、この縮径時に前記貫通孔は、貫通方向において中間部位は、その上下部位に対してやや拡径した状態であって、装着時に上下部位が腕等の身体に接触し、中間部位は非接触した状態となることを特徴とするスプリング装身具。
【請求項２】
宝石、擬似宝石、ビーズ等の装飾部材を備えたバネリングをリング方向に環状に重畳し、略偏平環状を呈する貫通孔を備えたスプリング環体を形成し、このスプリング環体の内側の重畳ピッチに対して、その外側の重畳ピッチを大きく形成するとともに、前記バネリングの内側の位置に対して、同バネリングの外側の位置が前記環状の一方向において偏倚し、この偏倚を利用して当該スプリング環体を縮径に形成されるとともに、この縮径時に前記貫通孔は、貫通方向において中間部位は、その上下部位に対してやや拡径した状態であって、装着時に上下部位が腕等の身体に接触し、中間部位は非接触した状態となることを特徴とするスプリング装身具。
【発明の詳細な説明】
【技術分野】
【０００１】
本発明は、スプリング装身具に関する。
【背景技術】
【０００２】
この種の装身具（装飾品、持ち物等）は、時代の変化と、人それぞれの好み、服装との関係、また使用する場所・人、時、金銭感覚、また年齢等の要素が複雑に絡み合って、種々の構造（品物の形態・概念、色、デザイン等）のものがあり、千差万別であって、現実にはその変化が把握できないと考えられる。現実はこのようであっても、人々の心はまとまり易く、ひとつの品物が、多数出回ることは間々ある。このような状況を、人々は流行として捉えている。従って、装身具としての価値があっても、前述の要望に対応できない場合には、その品物が出回らない。即ち、商品価値がないものと見られる。そして、このような市井の状況は各人、殊に女性は敏感である。またこのような流行は、その言葉の如く、僅かな時間及び期間のうちに終わると考えられる。
【０００３】
本発明が意図する装身具、即ち、ブレスレット、指輪、イヤリング、腰に捲装するベルト等（本発明の装身具は、これらの品物を云うが、一例である）では、前述の流行は端的であり、またその好みも極端と考えられている。
【０００４】
以上のことから、この種の装身具は、斬新性、華やかさ、気品、洋服等とのマッチング、又は高級感、意外性等の極めて多様の要望と、使用目的に対応する必要がある。しかし、今日、流行と、年代のギャップ、その他の要因で、さらなる改良と、嗜好に合った装身具が望まれている。
【０００５】
そして、この種の装身具に関し、本発明と関連がある先行文献を挙げると、次の文献（１）、文献（２）がある。以下、この文献（１）、文献（２）を説明する。この文献（１）は、特開平１１−２９０１０７号の「装身具」である。この発明は、弾性のある線状部材を複数貫通方向（軸方向）に、間隔をおいてランダムに（間隔を所定位置に開けて巻かれて）重畳し、円筒状のリング形状とした装身具であり、このリング形状の装身具を貫通方向に外力が付加（貫通方向に押圧）された場合に、重畳した円筒状のリング形状の間隔が可及的に狭くなり、貫通孔の内径の変化と、形状の可逆的な変化を可能にした構成であり、デザインを可逆的に変化させることができる装身具の提供を意図する。また文献（２）は、特開平１−１１０３０３号の「装身具とその製造方法」である。この発明は、形状記憶合金で形成した線材を、その両端部をオーバーラップして略円環状に形成し、巻回リングを形成した構成であり、この形状記憶合金の特性を利用し、止め金具等を使わないで容易に着脱できることが特徴であり、また巻回リングに形成したことで、腕にフィットすることも特徴である。
【０００６】
【特許文献１】特開平１１−２９０１０７号
【０００７】
【特許文献２】特開平１−１１０３０３号
【発明の開示】
【発明が解決しようとする課題】
【０００８】
前記文献（１）は、リング形状の装身具を貫通方向に外力が付加された場合に、重畳した円筒状のリング形状の間隔が可及的に狭くなり、貫通孔の内径の変化と、形状の可逆的な変化を可能にした構成である。従って、リング形状の重なり程度の変化を利用した構成であり、当該リング形状の大きさの範囲での装身具である。このリング形状の範囲内においての内径寸法に限定される構成であり、自ずから使用できる寸法は、このリング形状の範囲内であること、また汎用性にかけること、更には変化の程度が限定されるので、装身具としての特徴が少ないこと等の改良点がある。
【０００９】
また文献（２）は、形状記憶合金の線材を、その両端部においてオーバーラップして略円環状に形成し、巻回リングを形成した構成である。従って、リング形状の大きさは、オーバーラップの範囲内で変化する構成であり、当該リング形状より大きさと、かつオーバーラップした重畳の範囲内での大きさの変更を意図した装身具である。このリング形状とオーバーラップとの範囲内においての内径寸法に限定される構成であり、自ずから使用できる寸法は、このリング形状よりやや大きな範囲内であること、また汎用性にかけること、更には変化の程度が限定されるので、装身具としての特徴が少ないこと等の改良点がある。
【課題を解決するための手段】
【００１０】
請求項１の発明は、バネリングをリング方向に環状に重畳してスプリング環体を構成したことで、このバネリングの起立と、伏倒とを利用して、このスプリング環体の大きさを多元的に変更できること、またバネリングの内外側の位置を偏倚して形成し、このスプリング装身具を起立及び／又は伏倒可能とすること、又は腕等へのフィット感覚、全体寸法の多元的な変化を満喫すること等を意図する。そして、これらの特徴を総合的に判断した場合には、前述の時代の変化と、人それぞれの好み、服装との関係、また使用する場所・人、時、金銭感覚、また年齢等の要素にマッチングした装身具を提供すること等を意図する。さらに略偏平環状を呈する貫通孔は、縮径時においては、偏倚形状を呈することから、貫通方向において中間部位は、その上下部位に対してやや拡径した状態となっている。従って、装着時に上下部位が腕等の身体に接触（点接触）し、中間部位は非接触した状態となり、優しい感覚を確保すること、また、金属等の場合では、場合によってはアレルギーの人でも装着を可能とすることを意図する。
【００１１】
請求項１は、バネリングをリング方向に環状に重畳し、略偏平環状を呈する貫通孔を備えたスプリング環体を形成し、このスプリング環体の内側の重畳ピッチに対して、その外側の重畳ピッチを大きく形成するとともに、前記バネリングの内側の位置に対して、同バネリングの外側の位置が前記環状の一方向において偏倚し、この偏倚を利用して当該スプリング環体を縮径に形成されるとともに、この縮径時に前記貫通孔は、貫通方向において中間部位は、その上下部位に対してやや拡径した状態であって、装着時に上下部位が腕等の身体に接触し、中間部位は非接触した状態となることを特徴とするスプリング装身具である。
【００１２】
請求項２の発明は、請求項１と同じ特徴と実益を確保しつつ、装飾部材との総合的な美観を達成し、装身具としての特徴と、商品価値・価格等の向上と、一層の装飾効果・使用の喜びを確保すること等を意図する。
【００１３】
請求項２は、宝石、擬似宝石、ビーズ等の装飾部材を備えたバネリングをリング方向に環状に重畳し、略偏平環状を呈する貫通孔を備えたスプリング環体を形成し、このスプリング環体の内側の重畳ピッチに対して、その外側の重畳ピッチを大きく形成するとともに、前記バネリングの内側の位置に対して、同バネリングの外側の位置が前記環状の一方向において偏倚し、この偏倚を利用して当該スプリング環体を縮径に形成されるとともに、この縮径時に前記貫通孔は、貫通方向において中間部位は、その上下部位に対してやや拡径した状態であって、装着時に上下部位が腕等の身体に接触し、中間部位は非接触した状態となることを特徴とするスプリング装身具である。
【００１４】
【００１５】
【００１６】
【００１７】
【発明の効果】
【００１８】
請求項１の発明は、バネリングをリング方向に環状に重畳し、略偏平環状を呈する貫通孔を備えたスプリング環体を形成し、このスプリング環体の内側の重畳ピッチに対して、その外側の重畳ピッチを大きく形成するとともに、前記バネリングの内側の位置に対して、同バネリングの外側の位置が前記環状の一方向において偏倚し、この偏倚を利用してスプリング環体を縮径に形成されるとともに、縮径時に貫通孔は、貫通方向において中間部位は、上下部位に対してやや拡径した状態であって、装着時に上下部位が腕等の身体に接触し、中間部位は非接触した状態となるスプリング装身具である。
【００１９】
従って、請求項１は、バネリングをリング方向に環状に重畳してスプリング環体を構成したことで、このバネリングの起立と、伏倒とを利用して、このスプリング環体の大きさを多元的に変更できること、またバネリングの内外側の位置を偏倚して形成し、このスプリング装身具を起立及び／又は伏倒可能とすること、又は腕等へのフィット感覚、全体寸法の多元的な変化を満喫できること等の特徴がある。そして、これらの特徴を総合的に判断した場合には、前述の時代の変化と、人それぞれの好み、服装との関係、また使用する場所・人、時、金銭感覚、また年齢等の要素にマッチングした装身具を提供できること等の実益がある。さらに略偏平環状を呈する貫通孔は、縮径時においては、偏倚形状を呈することから、貫通方向において中間部位は、その上下部位に対してやや拡径した状態となっている。従って、装着時に上下部位が腕等の身体に接触（点接触）し、中間部位は非接触した状態となり、優しい感覚を確保すること、また、金属等の場合では、場合によってはアレルギーの人でも装着が可能となり得る特徴がある。
【００２０】
請求項２の発明は、宝石、擬似宝石、ビーズ等の装飾部材を備えたバネリングをリング方向に環状に重畳し、略偏平環状を呈する貫通孔を備えたスプリング環体を形成し、このスプリング環体の内側の重畳ピッチに対して、その外側の重畳ピッチを大きく形成するとともに、前記バネリングの内側の位置に対して、同バネリングの外側の位置が前記環状の一方向において偏倚し、この偏倚を利用して当該スプリング環体を縮径に形成されるとともに、縮径時に貫通孔は、貫通方向において中間部位は、上下部位に対してやや拡径した状態であって、装着時に上下部位が腕等の身体に接触し、中間部位は非接触した状態となるスプリング装身具である。
【００２１】
従って、請求項２は、請求項１と同じ特徴と実益が確保できること、また装飾部材との総合的な美観を達成し、装身具としての特徴と、商品価値・価格等の向上と、一層の装飾効果・使用の喜びが確保できること等の特徴がある。
【００２２】
【００２３】
【００２４】
【００２５】
【発明を実施するための最良の形態】
【００２６】
本発明の一例を説明する。
【００２７】
図１〜図３は装身具Ａの各一例を示した斜視図、図４〜図６はブレスレットとしての使用の一例を示した斜視図、図７は二の腕用のアームバンドとしての使用の一例を示した斜視図、図８はベルトとしての使用の一例を示した斜視図、図９はイヤリングとしての使用の一例を示した斜視図、図１０は指輪としての使用の一例を示した斜視図である。
【００２８】
そして、装身具Ａは、バネリング１００をリング方向Ｂに環状に重畳してスプリング環体１を形成し、スプリング環体１の内側１ａの重畳ピッチＡ１に対して、外側１ｂの重畳ピッチＡ２を大きく形成する。そして、このバネリング１００の内側１ａの位置に対して、バネリング１００の外側１ｂの位置が前記環状の一方向Ｃにおいて偏倚して形成されており、偏倚を利用してスプリング環体１が小径（縮径）に形成されるとともに、スプリング環体１の内径に対して、スプリング環体１の外径を大きく形成した構造である。
【００２９】
従って、この、装身具Ａは、バネリング１００の内側１ａの位置に対して、バネリング１００の外側１ｂの位置が前記環状の一方向Ｃにおいて偏倚していない状態は、即ち、このバネリング１００の内側１ａの位置に対して、当該バネリング１００の外側１ｂの位置が放射方向にある場合は、当該装身具Ａは大径（拡径）を維持する。一方、前述の如く、当該バネリング１００の内側１ａの位置に対して、バネリング１００の外側１ｂの位置が前記環状の一方向Ｃにおいて偏倚している場合は、当該装身具Ａは最小の外径を維持する。
【００３０】
またスプリング環体１の内側１ａには、略偏平環状を呈する貫通孔１０１が形成される。そして、この貫通孔１０１は、縮径時においては、前記偏倚形状を呈することから、貫通方向Ｄにおいて中間部位は、その上下部位に対してやや拡径した状態となっている。従って、装着時に上下部位が腕Ｈ１等の身体に接触（点接触）し、中間部位は非接触した状態となり、優しい感覚であること、また金属等の場合では、場合によってはアレルギーの人でも装着が可能と考えられる。また貫通孔１０１は、拡径時においては、前記放射方向にあることから、貫通方向Ｄに略真円形状であって、その中間部位が突出した状態となっている。従って、装着時に中間部位が腕Ｈ１等の身体に接触し、上下部位は非接触した状態となり、優しい感覚であること、また金属等の場合では、アレルギーの人でも装着が可能と考えられる。
【００３１】
尚、拡径から縮径への変更の一例を、図４〜図６に示す。この例では、人Ｈの腕Ｈ１に装身具Ａを装着する一例であり、図４は腕Ｈ１をスプリング環体１の貫通孔１０１に通した状態で、当該スプリング環体１は拡径しており、前述の拡径状態が確保できている。この拡径状態より縮径状態に移行するには、図５に示した如く、一方向Ｃに指Ｈ２を利用して押える。この所作により、図６に示した如く、このスプリング環体１は小径になり、前述の拡径状態が確保できている。このように、例えば、指Ｈ２の操作で、容易かつ簡便に拡径及び／又は縮径の状態を確保でき重宝すること、装飾品としての利点、邪魔にならない使用・装飾品としての使用の利点が確保できること等の特徴が考えられる。尚、後述各例でも可能である。図７の例は二の腕Ｈ３に装身具Ａ（アームバンド）を装着する一例であり、この例では、拡径及び／又は縮径の状態を確保し、その装飾効果と、形状の変化、接触の快感等を楽しめる。また図８の例は腰Ｈ４に装身具Ａ（ベルト）を装着する一例であり、この例では、拡径及び／又は縮径の状態を確保し、その装飾効果と、形状の変化、接触の快感等を楽しめる。図９の例は耳Ｈ５に装身具Ａ（イヤリング）を装着する一例であり、この例では、拡径及び／又は縮径の状態を確保し、その装飾効果と、形状の変化、接触の快感等を楽しめる。尚、イヤリングは、バネリング１００を利用して耳Ｈ５に挟むか、又は止具（図示しない）を利用して止める。さらに図１０の例は指Ｈ６に装身具Ａ（指輪）を装着する一例であり、この例では、通常は縮径の状態を確保し、その装飾効果と、接触の快感等を楽しめる。勿論、図１０の例でも拡径による利用は可能である。尚、その他の例とてしは、図示しないがアンクレット、チョーカー、ヘヤーバンド等としての装着も可能である。また線材、寸法等を考慮した場合には、室内用の紙立て、メニュー立て、メモ立て等の整理具、また品物の整理品、装飾品等としての使用、或いはズボンの捲装具も可能である。さらにスプリング環体１に各種の効能を具備した塗料（例えば、トルマリン、麦岩石、カーボン等の粒子を含んだ塗料）、蛍光塗料等を配し、健康、静電気除去等の健康グッズ、又は事故・災害・防災回避等の安全グッズとしての使用も可能であり有益である。尚、図示しないがスプリング環体１のバネリング１００は、断面円形状とするが、板状、方形状、その他異形形状も可能である。そして、スプリング環体１及び／又は装飾部材２の色、寸法等を適宜選択することで、男女・年齢等の区別無く使用できる利点がある。またスプリング環体１の線材の寸法を太く及び／又は弾性を強くし、腕Ｈ１等に圧力を掛けることで、指圧等の効果が期待できる。さらに本発明は、スプリング環体１であって、止め具を要しない構造では（尚、止め具を要する例もある）、取外しの不便性、離脱の危険性等を回避できる。
【００３２】
図中２は宝石、擬似宝石、ビーズ等の装飾部材で、この装飾部材２を、バネリング１００の略外側１００ａに設ける。そして、その大きさ等を考慮した場合には、この装飾部材２はバネリング１００に数本置きに設ける場合もあり得る。
【図面の簡単な説明】
【００３３】
【図１】装身具の一例を示した拡大斜視図
【図２】装身具の他の一例を示した拡大斜視図
【図３】装身具のさらに他の一例を示した拡大斜視図
【図４】スプリング環体を大径にして腕に装着し、ブレスレットとしての使用状態を示した斜視図
【図５】スプリング環体を腕に装着し、ブレスレットとしての使用状態であって、大径から小径に移行する所作を示した斜視図
【図６】スプリング環体を小径にして腕に装着し、ブレスレットとしての使用状態を示した斜視図
【図７】スプリング環体を小径にして二の腕に装着し、アームバンドとしての使用状態を示した斜視図
【図８】スプリング環体を大径にして腰に装着し、ベルトとしての使用状態を示した正面図
【図９】スプリング環体を小径にして耳に装着し、イヤリングとしての使用状態を示した斜視図
【図１０】スプリング環体を小径にして指に装着し、指輪としての使用状態を示した斜視図
【符号の説明】
【００３４】
１                スプリング環体
１ａ              内側
１ｂ              外側
１００            バネリング
１００ａ          略外側
１０１            貫通孔
２                装飾部材
Ａ                装身具
Ａ１              重畳ピッチ
Ａ２              重畳ピッチ
Ｂ                リング方向
Ｃ                一方向
Ｄ                貫通方向
Ｈ                人
Ｈ１              腕
Ｈ２              指
Ｈ３              二の腕
Ｈ４              腰
Ｈ５              耳
Ｈ６              指
【要約】
【課題】  従来のリング形状の装身具は、その貫通方向に外力が付加された場合に、重畳した円筒状のリング形状の間隔が可及的に狭くなり、貫通孔の内径の変化と、形状の可逆的な変化を可能にした構成で、装身具の変化はリング形状の大きさの範囲である。従って、変化の寸法は、リング形状のリング寸法の範囲内であること、また汎用性にかけること、更には変化の程度が限定されること等の改良点がある。
【構成】  バネリングをリング方向に環状に重畳してスプリング環体とし、スプリング環体の内側の重畳ピッチに対し、外側の重畳ピッチを大きく形成し、またバネリングの内側の位置に対し、バネリングの外側の位置が環状の一方向において偏倚して形成し、偏倚を利用してスプリング環体が小径に形成し、スプリング環体の内径に対し、スプリング環体の外径を大きく形成したスプリング装身具である。
【選択図】      図１
【図１】
0003583419.tif 000002
【図２】
0003583419.tif 000003
【図３】
0003583419.tif 000004
【図４】
0003583419.tif 000005
【図５】
0003583419.tif 000006
【図６】
0003583419.tif 000007
【図７】
0003583419.tif 000008
【図８】
0003583419.tif 000009
【図９】
0003583419.tif 000010
【図１０】
0003583419.tif 000011